(57)【要約】      （修正有）【課題】電線路を接地短絡する場合に、電線路側の接続端子に接地線の端子を容易かつ安全に接続する作業を実現する接地線および接地線仮支持具等の接地短絡器具を提供する。【解決手段】３個の接地線ネジ端子機構５６と、３本の分岐接地線５５を備え、各接地線ネジ端子機構は絶縁操作棒を係止するためのジョイント部６１と、ジョイント部に一部を固定され、他部に電線側ネジ端子の雌ネジ部に螺合する雄ネジ部を有した導電性軸部材６２と、導電性軸部材を分岐接地線と導通させる導電性ワッシャ部材６３と、導電性軸部材に対して軸方向に相対移動可能に配置され、軸方向突出位置にある時に接地線ネジ端子機構の雄ネジ部を非露出状態とし、軸方向退避位置にある時に雄ネジ部の少なくとも一部を露出させるシリンダ部材６５と、シリンダ部材を軸方向突出位置に付勢するバネ部材６４と、を備えた。【選択図】図６
2018019553.tif 000002
【特許請求の範囲】
【請求項１】
電線路に予め導通接続されている電線路ネジ端子の雌ネジ部に着脱される接地短絡器具であって、
３個の接地線ネジ端子機構と、該接地線ネジ端子機構と夫々導通した３本の分岐接地線と、を備え、
個々の前記接地線ネジ端子機構は、
絶縁操作棒を係止するための差込切欠を有するジョイント部と、
前記ジョイント部に一部を固定され、他部に前記電線路ネジ端子の雌ネジ部に螺合する雄ネジ部を有した導電性軸部材と、
前記導電性軸部材を前記分岐接地線と導通させる導電性ワッシャ部材と、
前記導電性軸部材の外径側において、該導電性軸部材に対して軸方向に相対移動可能に配置され、軸方向突出位置にある時に前記接地線ネジ端子機構の雄ネジ部を非露出状態とし、軸方向退避位置にある時に前記接地線ネジ端子機構の雄ネジ部の少なくとも一部を露出させるシリンダ部材と、
前記シリンダ部材を前記軸方向突出位置に付勢するバネ部材と、を備えたことを特徴とする接地短絡器具。
【請求項２】
前記導電性軸部材のジョイント部側にフランジを形成し、該フランジを介して導電性軸部材の雄ネジ部と前記導電性ワッシャ部材とを導通させたことを特徴とする請求項１に記載の接地短絡器具。
【請求項３】
前記ジョイント部を導電性材料から構成したことを特徴とする請求項１に記載の接地短絡器具。
【請求項４】
請求項１乃至３の何れか一項に記載された接地短絡器具を構成する前記３個の前記接地線ネジ端子機構の雄ネジ部を螺合させて仮支持する仮支持具であって、
ベース部材と、該ベース部材に設けられて一本の前記電線路に対して絶縁操作棒により着脱操作される電線路取付機構と、前記ベース部に設けられて前記接地短絡用具の前記各接地線ネジ端子機構の雄ネジ部を着脱可能に係止する３個のネジ端子係止部と、を備え、
前記３個のネジ端子係止部は仮支持具の重心点から略等距離に配置され、前記電線路取付機構は前記ベース部材の重量バランスを均衡させる位置に配置されていることを特徴とする接地短絡用具の仮支持具。
【請求項５】
請求項１乃至３の何れか一項に記載された接地短絡器具を構成する前記３個の前記接地線ネジ端子機構の雄ネジ部を螺合させて仮支持する仮支持具であって、
ベース部材と、該ベース部材に設けられて一本の前記電線路に対して絶縁操作棒により着脱操作される電線路取付機構と、前記ベース部に設けられて前記接地短絡用具の前記各接地線ネジ端子機構の雄ネジ部を着脱可能に係止する３個のネジ端子係止部とを備え、
前記ベース部材には前記接地線ネジ端子機構と夫々導通した３本の分岐接地線を取り付ける分岐接地線取付手段と、接地金具と導通した接地線を取り付ける接地線取付手段と、前記分岐接地線取付手段と接地線取付手段とを導通させる連結手段とを有していることを特徴とする接地短絡用具の仮支持具。
【発明の詳細な説明】
【技術分野】
【０００１】
本発明は、例えば２２ｋＶの特別高圧の電線路を接地短絡させる作業に用いる接地短絡器具および仮支持具に関する。
【背景技術】
【０００２】
従来、受電設備や電線路などに対して停電状態で各種作業を行なう際には、作業員の安全を確保するために接地線を電線路等に接続して短絡させることが行なわれており、電線路等を短絡するために用いられる接地短絡器具は、それが取り付けられる電線路等の設備に応じて異なるものが用いられるのが一般的である（例えば、特許文献１〜５参照）。
これら各種接地短絡器具のうち、特に２２ｋＶの特別高圧電線路を接地短絡するためのものとして、特許文献５に開示されたような接地線端部用仮支持具及び接地短絡器具がある。この先行技術に開示された接地短絡器具を用いて接地短絡作業を行う場合、電線路に固定された電線路側ネジ端子のカバー部材（中空通常体）の内奥部に位置する雌ネジ部に分岐接地線の先端部に取り付けられた接地線側ネジ端子の雄ネジ部を螺合させるが、そのためには絶縁操作棒の先端にネジ端子保持具を取り付け、そのネジ端子保持具の回転工具部に接地線側ネジ端子の六角ネジ部を挿入した状態で絶縁操作棒を操る必要がある。
【先行技術文献】
【特許文献】
【０００３】
【特許文献１】実開平７−７０７６号公報
【特許文献２】特開２００２−１５２９３５公報
【特許文献３】実開平５−６０１１９号公報
【特許文献４】特開２００１−１５７３３３公報
【特許文献５】特開２００８−７９４３０公報
【発明の概要】
【発明が解決しようとする課題】
【０００４】
しかしながら、電線路側ネジ端子の雌ネジ部は前述したように電線路側ネジ端子のカバー部材内奥部に位置するので操作時のネジ接続部の視認性が悪く、絶縁操作棒を用いてカバー部材の空間内で接地線側ネジ端子の六角ネジ部を回転させる際にネジ接続状態の良否を目視確認しにくくなる。このため、充分に螺合されていないのに螺合されたものと勘違いして接地線側ネジ端子からネジ端子保持具を離脱させたときに、接地線側ネジ端子の六角ネジ部がネジ端子保持部の回転工具部より抜け落ちることが多々あり、作業効率が悪いという課題があった。また、分岐接地線は雄ネジ部の軸に対して脱落不能に装着されている丸端子を介して導通しているので六角ネジ部を回転させて雄ネジ部を電線路側ネジ端子の雌ネジ部に螺合させる際、六角ネジ部を回転させるに伴い丸端子も供回りし、その結果、丸端子に接続している分岐接地線が絶縁操作棒に絡みつき、操作性を低下させるという課題があった。
そこで、本発明は、電線路を接地短絡する場合に、電線路側の接続端子に接地線の端子を容易かつ安全に接続する作業を実現する接地線および接地線仮支持具等の接地短絡器具を提供することを目的とする。
【課題を解決するための手段】
【０００５】
上記課題を解決するため、本発明に係る接地短絡器具は、電線路に予め導通接続されている電線路ネジ端子の雌ネジ部に着脱される接地短絡器具であって、３個の接地線ネジ端子機構と、該接地線ネジ端子機構と夫々導通した３本の分岐接地線と、を備え、個々の前記接地線ネジ端子機構は、絶縁操作棒を係止するための差込切欠部を有するジョイント部と、該ジョイント部の他端に一部を固定され、他部に前記電線側ネジ端子の雌ネジ部に螺合する雄ネジ部を有した導電性軸部材と、前記導電性軸部材を前記分岐接地線と導通させる導電性ワッシャ部材と、前記導電性軸部材の外径側に、且つ、該導電性軸部材に対して軸方向に相対移動可能に配置され、軸方向突出位置にある時に前記接地線ネジ端子機構の雄ネジ部を非露出状態とし、軸方向退避位置にある時に前記接地線ネジ端子機構の雄ネジ部の少なくとも一部を露出させるシリンダ部材と、前記シリンダ部材を前記軸方向突出位置に付勢するバネ部材と、を備えたことを特徴とする。
上記課題を解決する接地短絡器具の第２の発明は、前記第１の発明の特定事項に加え、前記導電性軸部材のジョイント部側にフランジを形成し、該フランジを介して導電性軸部材の雄ネジ部と前記導電性ワッシャ部材とを導通させたことを特徴とする。
上記課題を解決する接地短絡器具の第３の発明は、前記第１の発明の特定事項に加え、前記ジョイント部が導電性の材料から構成したことを特徴とする。
【０００６】
上記課題を解決する本発明に係る接地短絡用具の仮支持具は、請求項１乃至請求項３に記載された接地短絡器具を構成する前記３個の前記接地線ネジ端子機構の雄ネジ部を螺合させて仮支持する仮支持具であって、ベース部材と、該ベース部材に設けられて一本の前記電線路に対して絶縁操作棒により着脱操作される電線路取付機構と、前記ベース部に設けられて前記接地短絡用具の前記各接地線ネジ端子機構の雄ネジ部を着脱可能に係止する３個のネジ端子係止部と、を備え、前記３個のネジ端子係止部は仮支持具の重心点から略等距離に配置され、前記電線路取付機構は前記ベース部材の重量バランスを均衡させる位置に配置されていることを特徴とする。
上記課題を解決する本発明に係る接地短絡用具の仮支持具は、請求項１乃至請求項３に記載された接地短絡器具を構成する前記３個の前記接地線ネジ端子機構の雄ネジ部を螺合させて仮支持する仮支持具であって、ベース部材と、該ベース部材に設けられて一本の前記電線路に対して絶縁操作棒により着脱操作される電線路取付機構と、前記ベース部に設けられて前記接地短絡用具の前記各接地線ネジ端子機構の雄ネジ部を着脱可能に係止する３個のネジ端子係止部とを備え、前記ベース部材には前記接地線ネジ端子機構と夫々導通した３本の分岐接地線を取り付ける分岐接地線取付手段と、接地金具と導通した接地線を取り付ける接地線取付手段と、前記分岐接地線取付手段と接地線取付手段とを導通させる連結手段とを有していることを特徴とする。
【発明の効果】
【０００７】
本発明によれば、電線路に導通接続する全ての接地線の端部をその電線路に一時的に支持させつつ、それぞれの電線路にネジ端子同士を螺合させる作業を順次に行うことができると共に、ネジ端子同士の螺合の際には接地線ネジ端子が工具より抜け落ちることがなく、電線路の接地短絡作業を容易、安全かつ効率的に完了することができる。
【図面の簡単な説明】
【０００８】
【図１】電線路に予め設置されている電線路ネジ端子の取り付け時における縦断面図である。
【図２】電線路ネジ端子を示す図であり、（ａ）はそのカバー部材を示す平面図、（ｂ）はその接続端子を示す一部断面平面図、（ｃ）はその蓋部材を示す平面図である。
【図３】従来用いられている接地線３０の構成を示す図である。
【図４】接地線３０を電線路１の電線路ネジ端子１０に接続した状態を示す図である。
【図５】本発明に係る接地短絡器具の接地線５０を示す図である。
【図６】（ａ）、（ｂ）、（ｃ）は本発明に係る接地短絡器具の接地線ネジ端子機構を示す図であり、（ａ）、（ｂ）は接地線ネジ端子機構のシリンダ部材が上下する状態を示した図、（ｃ）は接地線ネジ端子機構の雄ネジ部を電線路ネジ端子の雌ネジ部に固定した状態を示す図である。
【図７】本発明に係る接地短絡器具の接地線ネジ端子機構の分解斜視図である。
【図８】（ａ）は接地線ネジ端子機構を操作する際に用いる絶縁操作棒を示す図、（ｂ）は絶縁操作棒の先端部に接地線ネジ端子機構を取り付けた状態を示す図である。
【図９】接地短絡作業時に用いる仮支持具を示す図であり、（ａ）は正面図、（ｂ）は側面図、（ｃ）は底面図である。
【図１０】接地短絡作業時に用いる仮支持具９０の使用を説明するための斜視図である。
【図１１】（ａ）、（ｂ）は本発明に係る他の実施の形態である接地線ネジ端子機構のシリンダ部材が上下する状態を示した図である。
【図１２】本発明に係る他の実施の形態である接地線ネジ端子機構の分解斜視図である。
【図１３】接地短絡作業時に用いる仮支持具の他の実施の形態を示す図であり、（ａ）は正面図、（ｂ）は側面図、（ｃ）は底面図である。
【図１４】接地短絡作業時に用いる仮支持具１２０の使用を説明するための斜視図である。
【発明を実施するための形態】
【０００９】
以下、本発明の実施形態を図面に基づいて説明する。なお、本発明の説明に先立ち、２２ｋＶ特別高圧の電線路に設けられる接地短絡用の電線路ネジ端子について図１、図２、図３、図４に基づいて説明する。図１は電線路に予め設置されている電線路ネジ端子の取り付け時における縦断面図、図２は電線路ネジ端子を示す図であり、（ａ）はそのカバー部材を示す平面図、（ｂ）はその接続端子を示す一部断面平面図、（ｃ）はその蓋部材を示す平面図である。
【００１０】
電線路ネジ端子１０は、Ｔ字形状に形成されて電線路１に導通接続させる接続端子１１と、この接続端子１１を内装可能に内部にＴ字形状の空間Ｓを画成するカバー部材１５と、接続端子１１に接続保持させてカバー部材１５の下部側開口を閉塞状態にする蓋部材２１と、を備えている。
接続端子１１は、電線路１の外被２を剥がされた状態の導通線３をスリット１２ａから内装させるように被せて圧着接続させることにより導通接続させるストレート部１２と、このストレート部１２の中央部に連設されている雌ネジ部１３と、を備えている。この接続端子１１は、電線路１の導通線３にストレート部１２を導通接続させた状態で雌ネジ部１３に接地線を導通接続させることにより電線路１の接地短絡を可能にする。
【００１１】
カバー部材１５は、絶縁性を有する樹脂材料により作製されて接続端子１１のストレート部１２が導通接続された箇所の電線路１の挿通空間を画成するストレート部１６と、接続端子１１の雌ネジ部１３を内部に位置させて接地線の端部を差し込んで導通接続させる空間を画成する差込部１７と、を備えている。このカバー部材１５は、ストレート部１６の両端部を絶縁被覆１８で覆うと共にその内部に絶縁樹脂材料１９を充填することにより、蓋部材２１と共に電線路１の２２ｋＶ特別高圧の絶縁性を確保している。
蓋部材２１は、接続端子１１の雌ネジ部１３に螺合させて固定可能な雄ネジ部２２と、この雄ネジ部２２に相対回転不能に連設された絶縁材料からなる棒状部材２３と、この棒状部材２３を中心に保持するとともにカバー部材１５の差込部１７の下部側開口１７ａを閉塞する絶縁材料からなる円盤部材２４と、棒状部材２３の端部に相対回転不能に連設された六角ネジ部２５と、を備えている。この蓋部材２１は、六角ネジ部２５を回転道具などで回転させることにより棒状部材２３を介して雄ネジ部２２を接続端子１１の雌ネジ部１３に螺合させてカバー部材１５の下部側開口１７ａを閉塞・開放するように着脱することができ、これにより電線路１の接地短絡や絶縁確保を可能にしている。
【００１２】
図３は従来用いられている接地線３０の構成を示す図、図４は接地線３０を電線路１の電線路ネジ端子１０に接続した状態を示す図である。接地線３０はワニ口クリップなどの接地金具３２によりアース接続する集合接地線３３と、集合接地線３３の端部に設けられた分岐端子部３４と、分岐端子部３４から分岐されている３本の分岐接地線３５と、各分岐接地線３５の先端部に設けられた接地線ネジ端子３６と、を備え、接地線ネジ端子３６は分岐接地線の先端部で導通接続されて略直角に屈折されている丸端子３７と、この丸端子３７に脱落不能に装着された雄ネジ部３８と、この雄ネジ部３８に相対回転不能に連設された六角ネジ部３９と、を備えている。
このように構成した接地線ネジ端子３６の六角ネジ部３９に対して、六角柱状の凹所を有した回転工具の該凹所を嵌挿させ、該回転工具を絶縁操作棒の先端に取り付けて接地線ネジ端子３６の雄ネジ部３８を電線路１に取り付けた接続端子１１の雌ネジ部１３に螺合させることで電線路の接地短絡を行っていた。しかし、電線路１に取り付けられた接続端子１１の雌ネジ部１３はカバー部材１５の最奥に位置するため視認性が悪く、また、六角ネジ部３９を回転工具に嵌挿させているため、回転工具から六角ネジ部３９が抜け落ち易いという問題点があった。更には接地線ネジ端子３６の丸端子３７は雄ネジ部３８が抜け落ちないように構成されているので、六角ネジ部３９を回転させて雄ネジ部３８を接続端子１１の雌ネジ部１３に螺合させようとすると、六角ネジ部３９の回転に伴って丸端子３７が供回りしやすく、その結果、丸端子３７に取り付けられた分岐接地線３５が絶縁操作棒に絡みつき、作業性が低下する虞があること前述のとおりである。
【００１３】
そこで、本発明に係る接地短絡器具は以下の構成をとる。
図５は本発明に係る接地短絡器具の接地線５０を示す図、図６（ａ）、（ｂ）、（ｃ）は本発明に係る接地短絡器具の接地線ネジ端子機構を示す図であり、（ａ）、（ｂ）は接地線ネジ端子機構のシリンダ部材が上下する状態を示した図、（ｃ）は接地線ネジ端子機構の雄ネジ部を電線路の接続端子の雌ネジ部に固定した状態を示す図、図７は接地線ネジ端子機構の分解斜視図、図８（ａ）は接地線ネジ端子機構を操作する際に用いる絶縁操作棒を示す図、（ｂ）は絶縁操作棒の先端部に接地線ネジ端子機構を取り付けた状態を示す図である。
【００１４】
接地線５０は、ワニ口クリップなどの接地金具５２を一端に備えた集合接地線５３と、集合接地線５３の他端に設けられた分岐端子部５４と、分岐端子部５４から分岐されている３本の分岐接地線５５と、各分岐接地線５５の先端部に夫々設けられた接地線ネジ端子機構５６と、を備えている。
図６、図７に判り易く示すように、接地線ネジ端子機構５６は一端が開口した筒状部材により構成した導電性のジョイント部６１と、ジョイント部６１の他端面に略同軸状に一端が固定された導電性軸部材６２と、導電性軸部材６２が貫通する開口部７０を中心に有し、かつ、端部に分岐接地線５５が導通接続された導電性ワッシャ部材６３と、導電性軸部材６２が内部を貫通するコイルバネであるバネ部材６４と、導電性軸部材６２の外径側に軸方向移動自在に配置されてバネ部材６４により上方（突出方向）へ付勢された円筒状のシリンダ部材６５と、を有している。
【００１５】
ジョイント部材６１の周面には開口側の一端から略Ｔ字状の差込切欠６７が形成され、後述する絶縁操作棒の先端部に取り付けられる。このジョイント部６１の他端には導電性軸部材６２が固定され、導電性軸部材６２の先端には電線路ネジ端子１０の雌ネジ部１３に螺合する雄ネジ部６８が設けられている。なお導電性軸部材６２は、例えばジョイント部６１の他端面に設けた小穴６１ａを利用してネジ等で固定することができる。
導電性ワッシャ部材６３はリング状の本体から突出した端部に分岐接地線５５が導通接続されると共に、その開口部７０を導電性軸部材６２が貫通する。開口部７０の径は導電性軸部材６２の外径よりも充分に大きく形成しているため、導電性ワッシャ部材６３は導電性軸部材６２を中心に相対回動可能となっている。そのため、雄ネジ部６８を電線路ネジ端子１０の雌ネジ部１３に螺合させる際、ジョイント部６１及び導電性軸部材６２が回転しても、導電性ワッシャ部材６３の供回りが発生しにくい構成となっている。
シリンダ部材６５は軸方向に貫通した円筒状の部材であり、その内壁には内側に向かって突出した凸部６６が形成されている。その材料は導電性材料あるいは絶縁性材料のいずれでも利用可能であるが、加工のしやすさや軽さ等の諸要件を考慮すると、樹脂等の絶縁性材料が好ましい。シリンダ部材６５はバネ部材６４により雄ネジ部６８方向に付勢され、導電性軸部材６２の軸方向に沿って可動するが、シリンダ部材６５の内壁に形成した凸部６６が雄ネジ部６８の下面と当接することでシリンダ部材６５が抜け落ちることを防止し、図６（ａ）の突出状態において雄ネジ部６８を非露出状態としている。
【００１６】
また雄ネジ部６８が電線路ネジ端子１０の雌ネジ部１３に螺合する際、シリンダ部材６５の上端面は電線路ネジ端子１０のカバー部材１５の内底面に当接する。そのため、雄ネジ部６８が電線路ネジ端子１０の雌ネジ部１３に捩じ込まれるに伴ってシリンダ部材６５は下方に押し下げられ、雄ネジ部６８が雌ネジ部１３に完全に絞め込まれた際にはシリンダ部材６５はバネ部材６４を圧縮方向に押圧し、その押圧力により導電性ワッシャ部材６３をバネ部材６４とジョイント部６１との間で挟持し、雄ネジ部６８と導電性ワッシャ部材６３との電気的な導通が確保される。
【００１７】
なお、雄ネジ部６８の締め込みに伴い、シリンダ部材６５が下方にシフトし、バネ部材６４を圧縮することで、導電性ワッシャ部材６３とジョイント部６１との摩擦力が高まり、導電性ワッシャ部材６３がジョイント部６１の回転に伴い供回りしやすい状況となる。従来の接地線ネジ端子に用いられていた丸端子は雄ネジ部から脱落しないよう雄ネジ部の軸径とほぼ同径の開口部が用いられていたのに対し、本発明に係る接地短絡器具においては導電性軸部材６２が貫通する導電性ワッシャ部材６３の開口部７０を大きくとることができるので、ジョイント部６１及び導電性軸部材６２の回転に対する供回りが発生しにくく、絶縁操作棒に分岐接地線５５が絡みにくい。また、導電性ワッシャ部材６３とジョイント部６１との摩擦力はシリンダ部材６５の重量やバネ部材６４の弾性力によって調整可能であり、雄ネジ部６８を完全に締め付ける直前まで導電性ワッシャ部材６３とジョイント部６１との摩擦力が高まらず、締め付けが完全に行われた際に摩擦力が高まるように設定すれば良いし、導電性ワッシャ部材６３とジョイント部６１との間に必要に応じてスラスト玉軸受を配置すれば、ジョイント部６１の回転力は導電性ワッシャ部材６３に伝わらず、バネ部材６４からの押圧力に関係なく導電性ワッシャ部材６３の自由な動きを確保でき、分岐接地線５５の絶縁操作棒への絡みつきを防止するうえでより一層効果を発揮する。
【００１８】
絶縁操作棒８０は、図８（ａ）に示すように汎用道具であり、先端部の互いに反対側となる側面に突起形状に一対立設されることにより接地線ネジ端子機構５６のジョイント部６１の差込切欠６７内に挿し込んで係合させることのできるピン８１と、先端部の先端面に配設されて不図示の内蔵スプリングにより突出方向に付勢されている突起８２と、先端部の側面に刻設されている不図示のネジ形状に螺合して進退可能なグリップ８３と、滑り難い材質の取替え可能な滑り止が施されて作業員の把持する基端部側の把持部８４と、を備えている。
これにより、絶縁操作棒８０は、図９に示した仮支持具９０や接地線ネジ端子機構５６のジョイント部６１内に先端部を差し込んで突起８２を内蔵スプリングの弾性力に抗して沈ませつつ、ピン８１の双方をそのジョイント部６１の差込切欠６７内に進入させて回転させた後に、その進入させる力を解放すると、図８（ｂ）に示したように突起８２がスプリングの弾性力により突出してジョイント部６１を押し出すことにより、その差込切欠６７から屈曲する係合溝６９内にピン８１を離脱不能に係合させることができる。さらに、この絶縁操作棒８０は、グリップ８３を回転させてジョイント部６１側に寄せることによりピン８１が係合溝６９内から離脱して回転しないようにロックすることができ、接地線ネジ端子機構５６が相対回転して外れてしまうことを信頼性高く防止して取り扱い易くすることができる。ここで、この絶縁操作棒８０は、中間部分に傘カバー８５、８６が取り付けられているとともに、全体をプラスチックなどの絶縁材料で作製されることにより絶縁性が確保されており、先端側の傘カバー８５が接地線ネジ端子機構５６側からの水分を滴下させるとともに、基端側の傘カバー８６が安全に作業を行い得る限界位置を示して、作業する際の安全を確保している。
【００１９】
次に上述した接地短絡器具を用いた接地短絡作業時に用いる仮支持具について説明する。図９は仮支持具９０を示した図であり、（ａ）は正面図、（ｂ）は側面図、（ｃ）は底面図である。仮支持具９０は、平面視で凸型の外形を有する板状のベース部材９１と、このベース部材９１に取り付けられて、ベース部材９１を電線路１に引っ掛け、固定するための電線路取付機構９３と、接地線ネジ端子機構５６の雄ネジ部６８を着脱可能に係止する３個のネジ端子係止部９５と、を備えている。また電線路取付機構９３は、電線路１にベース部材９１を引っ掛けて吊り下げるためのフック形状の引掛け部９７と、引掛け部との間で電線路を挟圧保持する電線固定部９９とを有する。電線固定部９９は、下端に位置する中空筒状のジョイント部１０１と、このジョイント部１０１に相対回転不能に連設されてヘッド部１０３を引掛け部９７内に進退させるスライド部１０５と、を備えている。
【００２０】
ジョイント部１０１は、絶縁操作棒８０の先端部を差込可能に後端面が開口する有底の円筒形状に形成されており、その円筒部の互いに反対側となる周面が概略Ｔ字形状に切り欠かれることにより、後端面（絶縁操作棒８０）側から先端側に向う差込切欠部１０７と、この差込切欠部１０７の直交方向の両側に連続するように屈曲する係合切欠部１０８と、が一対形成されている。
これにより、引掛け部９７は、操作棒８０のピン８１をジョイント部１０１の差込切欠部１０７から係合切欠部１０８内の奥まで進入させて引っ掛けることにより相対回転不能かつ引抜不能（脱落不能）に取り付けることができる。
【００２１】
スライド部１０５は、ベース部材９１に刻設されている不図示の雌ネジに螺合する雄ネジ１０６が外周面に形成されており、そのベース部材９１に刻設された雌ネジに対する軸方向にジョイント部１０１を介して相対回転されることにより雄ネジ１０６との螺合位置を変化させてヘッド部１０３を引掛け部９７内で進退させることができる。
これにより、仮支持具９０の引掛け部９７は、引掛け部９７の開口側から電線路１を進入させて引っ掛けた状態にした後に、ジョイント部１０１を介してスライド部１０５を回転させることにより、そのスライド部１０５のヘッド部１０３を引掛け部９７の湾曲部分に接近させて電線路１を押圧する状態で挟持（保持）することができ、仮支持具９０を電線路１の所望の位置に容易に一時的に取り付けることができる。
反対に、ジョイント部１０１を介してスライド部１０５を逆回転させることにより、そのスライド部１０５のヘッド部１０３を引掛け部９７の湾曲部分から離隔させて電線路１を自由にして引掛け部９７の開口側から離脱させることができ、仮支持具９０を電線路１から容易に回収することができる。
【００２２】
仮支持具９０のネジ端子係止部９５は、接地線ネジ端子機構５６の雄ネジ部６８を螺合可能な雌ネジがベース部材９１上の三か所に刻設されたものであり、ネジ端子係止部９５の設置位置は仮支持具９０の重心（雄ネジ１０６が螺合する雌ネジの位置付近）から略等距離の位置となっている。
これにより、３本の分岐接地線５５の雄ネジ部６８を仮支持具９０のネジ端子係止部９５に螺合させた状態で仮支持具９０を電線路１に取り付けた際、ベース部材９１がほぼ水平となりバランスが取れるようになっており、作業員の操作性を向上することができる。
なお、本実施の形態ではベース部材９１にスリット９２を形成し、該スリット９２の間でボルトナット等の締め具９４を用いて引掛け部９７をベース部材９１に固定しているが、引掛け部９７をベース部材９１と一体的に形成しても良い。また仮支持具９０に３本の分岐接地線５５を固定した状態で仮支持具９０がバランスを取れるようにネジ端子係止部９５の設置位置を仮支持具９０の重心から略等距離としたがこれに限るものではなく、ベース部材９１の形状を変える等の変更を行うことでバランスが取れるのであれば、ネジ端子係止部９５は仮支持具９０の重心から略等距離でない所望の位置に設置しても良い。
【００２３】
次に、図１０は仮支持具９０を用いて各電線路ネジ端子１０に対して接地線ネジ端子機構５６を取り付ける手順を説明するための斜視図である。
なお、この取付け作業に先だってベース部材９１の全てのネジ端子係止部９５内に全ての接地線ネジ端子機構５６を螺着しておく。この螺着作業は絶縁操作棒以外の工具を用いて簡単に行うこともできる。
【００２４】
先ず、電線路１に設置した電線路ネジ端子１０の蓋部材２４を取り外し（図１参照）、全ての分岐接地線５５が取り付けられた仮支持具９０（電線路取付機構９３）を電線路ネジ端子１０の近傍の電線路１上に引っ掛け、挟圧固定する。その後、絶縁操作棒８０を一つの接地線ネジ端子機構５６に係合し、回転させることで接地線ネジ端子機構５６を仮支持具９０から取り外し、そのままの状態で接地線ネジ端子機構５６を電線路ネジ端子１０のカバー部材１５内に差し込み、絶縁操作棒８０を回転させることにより、接地線ネジ端子機構５６の雄ネジ部６８を電線路ネジ端子１０の雌ネジ部１３に螺合させる。
この際、接地線ネジ端子機構５６のジョイント部６１および該ジョイント部６１に取り付けられた導電性軸部材６２が絶縁操作棒８０の操作により回転しても、導電性ワッシャ部材６３は供回りが生じにくく、導電性ワッシャ部材６３に取り付けられた分岐接地線５５が絶縁操作棒８０に絡みつきにくい。
また、ジョイント部６１は従来のように六角ネジ部ではないため、操作棒により螺着作業を行っている最中に絶縁操作棒から接地線ネジ端子機構５６が脱落することはない。
【００２５】
図１１（ａ）、（ｂ）は本発明に係る他の実施の形態である接地線ネジ端子機構のシリンダ部材が上下する状態を示した図、図１２は接地線ネジ端子機構の分解斜視図であり、上述した実施の形態と同一部位には同一の符号を付し、その説明を省略する。
【００２６】
本実施の形態が前述した実施の形態と異なる点は導電性軸部材６２のジョイント部６１側に円形状のフランジ７１を一体的に設けると共に、分岐接地線５５が導電接続する導電性ワッシャ部材６３の端子部６３ａを略直角に折り曲げてジョイント部６１の周面に略平行に延在させた点である。また導電性軸部材６２にフランジ７１を形成したことに伴い、シリンダ部材６５の内壁には凸部６６を形成せず、その代わりにシリンダ部材６５の下端部とバネ部材６４の上端部とを固定し、更にバネ部材６４の下端部を導電性ワッシャ部材６３の上面に固定することによりシリンダ部材６５が抜け落ちることを防止し、雄ネジ部６８を非露出状態としている。
【００２７】
また、導電性軸部材６２の一端にフランジ７１を形成することで、雄ネジ部６８はフランジ７１を介して導電性ワッシャ部材６３との導通が確保される。したがって、ジョイント部６１は非導電性の材料を用いることができ、絶縁操作棒８０を用いて作業を行う際により一層感電等の危険を回避し、また樹脂等の材料を用いれば、器具の軽量化が図られ作業を安全かつ効率的に行うことができる。さらに導電性ワッシャ部材６３の端子部６３ａをジョイント部６１の周面に対して略平行となるよう折り曲げているので、接地線ネジ端子機構５６を絶縁操作棒８０の先端に取り付け、電線路ネジ端子１０のカバー部材１５内に接地線ネジ端子機構５６を挿入した際、カバー部材１５の内壁に端子部６３ａが接触しにくく、より一層作業効率が向上する。
なお上記実施の形態と同様に、導電性ワッシャ部材６３とフランジ７１との間にスラスト玉軸受を配置すれば、ジョイント部６１およびフランジ部７０の回転力は導電性ワッシャ部材６３に伝わらず、バネ部材６４からの押圧力に関係なく導電性ワッシャ部材６３の自由な動きを確保でき、分岐接地線５５の絶縁操作棒への絡みつきを防止するうえでより一層効果を発揮する。
【００２８】
図１３は仮支持具の他の実施の形態を示した図であり、（ａ）は正面図、（ｂ）は側面図、（ｃ）は底面図である。図１４は仮支持具を用いて各電線路ネジ端子１０に対して接地線ネジ端子機構５６を取り付ける状態を示す斜視図である。本実施の形態における仮支持具１２０は、先に説明した実施の形態における仮支持具９０と同様、接地線ネジ端子機構５６を支持し、電線路１の電線路ネジ端子１０近傍に接地線ネジ端子機構５６を配置させる機能を有すると共に、接地線としての分岐接地線、分岐端子部、集合接地線の機能を持たせている。
【００２９】
仮支持具１２０は平面視で凸型の外形を有する板状のベース部材１２１と、このベース部材１２１に取り付けられて、ベース部材１２１を電線路１に引っ掛け、固定するための電線路取付機構１２３と、接地線ネジ端子機構５６の雄ネジ部６８を着脱可能に係止する３個のネジ端子係止部１２５と、を備えている。また電線路取付機構１２３は、電線路１にベース部材１２１を引っ掛けて吊り下げるためのフック形状の引掛け部１２７と、引掛け部との間で電線路を挟圧保持する電線固定部１２９とを有する。電線固定部１２９は、下端に位置する中空筒状のジョイント部１３１と、このジョイント部１３１に相対回転不能に連設されてヘッド部１３３を引掛け部１２７内に進退させるスライド部１３５と、を備えている。
【００３０】
ジョイント部１３１は、絶縁操作棒８０の先端部を差込可能に後端面が開口する有底の円筒形状に形成されており、その円筒部の互いに反対側となる周面が概略Ｔ字形状に切り欠かれることにより、後端面（絶縁操作棒８０）側から先端側に向う差込切欠部１３７と、この差込切欠部１３７の直交方向の両側に連続するように屈曲する係合切欠部１３８と、が一対形成されている。
これにより、引掛け部１２７は、操作棒８０のピン８１をジョイント部１３１の差込切欠部１３７から係合切欠部１３８内の奥まで進入させて引っ掛けることにより相対回転不能かつ引抜不能（脱落不能）に取り付けることができる。
【００３１】
スライド部１３５は、ベース部材１２１に刻設されている不図示の雌ネジに螺合する雄ネジ１３６が外周面に形成されており、そのベース部材１２１に貫通形成された穴内に設けられた雌ネジに対する軸方向にジョイント部１３１を介して相対回転されることにより雄ネジ１３６との螺合位置を変化させてヘッド部１３３を引掛け部１２７内で進退させることができる。
これにより、仮支持具１２０の引掛け部１２７は、引掛け部１２７の開口側から電線路１を進入させて引っ掛けた状態にした後に、ジョイント部１３１を介してスライド部１３５を回転させることにより、そのスライド部１３５のヘッド部１３３を引掛け部１２７の湾曲部分に接近させて電線路１を押圧する状態で挟持（保持）することができ、仮支持具１２０を電線路１の所望の位置に容易に一時的に取り付けることができる。
反対に、ジョイント部１３１を介してスライド部１３５を逆回転させることにより、そのスライド部１３５のヘッド部１３３を引掛け部１２７の湾曲部分から離隔させて電線路１を自由にして引掛け部１２７の開口側から離脱させることができ、仮支持具１２０を電線路１から容易に回収することができる。
【００３２】
仮支持具１２０のネジ端子係止部１２５は、接地線ネジ端子機構５６の雄ネジ部６８を螺合可能な雌ネジがベース部材１２１上の三か所の貫通穴内に刻設されたものであり、ネジ端子係止部１２５の設置位置はベース部材１２１の長手方向の略直線上にほぼ等間隔で配置している。これにより、接地線ネジ端子機構５６の雄ネジ部６８をネジ端子係止部１２５に螺合させた仮支持具１２０を電線路１に取り付けた際、ベース部材１２１がほぼ水平となり重量バランスが取れるようになっており、作業員の操作性を向上することができる。
【００３３】
また、本実施の形態における接地線ネジ端子機構５６は図６に示した構造のものを用いても良いし、あるいは図１１に示した構造のものを用いても良く、各接地線ネジ端子機構５６のワッシャ部材６３に導通接続した分岐接地線５５はベース部材１２１の端面に設けられた分岐接地線取付手段である分岐接地線取付穴１４０に導通固定されている。
更に、各分岐接地線取付穴１４０は図示を省略した連結手段である個別の配線を用いて束ねられ、ベース部材１２１の端面に設けた接地線取付手段である接地線取付穴１４２と導通し、該接地線取付穴１４２に集合接地線５３を導通接続することで集合接地線５３の端部に設けられたワニ口クリップなどの接地金具５２と導通させるか、あるいは、個別の配線を用いず、ベース部材１２１を構成する導体を連結手段として利用して各分岐接地線５５と集合接地線５３とを導通させ、接地線ネジ端子機構５６と接地金具５２とを導通させても良い。
なお、各分岐接地線５５の長さは、図１０に示したように仮支持具１２０を電線路１に引っ掛け、挟圧固定した際に接地線ネジ端子機構５６を電線路ネジ端子１０の雄ネジ部に螺合させるために十分な長さがあれば良く、また集合接地線５３の長さも仮支持具１２０を電線路１に固定した際、所望の個所に接地金具５２を取り付けられる長さを有していれば良い。
【００３４】
本実施の形態によれば、分岐接地線５５を仮支持具１２０のベース部材１２１に導通固定し、集合接地線５３をベース部材１２１から導出させたので、接地線の機能の一部を仮支持具１２０に一体的に取り込み、作業性を向上することができる。また、仮支持具１２０と接地線５０の管理を一括して行うことで、仮支持具１２０と接地線５０とが別の構成である場合に比較し、作業時に持出し忘れを防ぐ等の効果も有する。
これまで本発明の一実施形態について説明したが、本発明は上述の実施形態に限定されず、その技術的思想の範囲内において種々異なる形態にて実施されてよいことは言うまでもない。例えば、上述実施形態では、３相の電線路１００を接地短絡させる３本の分岐接地線１６０の先端を支持可能にする場合を説明するが、これに限るわけではなく、１本または２本の接地線用にしてもよく、また、より多くの接地線の先端を支持可能に設計してもよいことは言うまでもない。
【００３５】
＜発明の構成、作用、効果のまとめ＞
本発明に係る接地短絡器具は、電線路に予め導通接続されている電線路ネジ端子の雌ネジ部に着脱される接地短絡器具であって、３個の接地線ネジ端子機構と、該接地線ネジ端子機構と夫々導通した３本の分岐接地線と、該各分岐接地線を集合した集合接地線とを備え、個々の前記接地線ネジ端子機構は、一端が開口した筒状部材の周面に前記一端側から切り欠き形成された絶縁操作棒を係止するための差込切欠部を有するジョイント部と、該ジョイント部の他端に一部を固定され、他部に前記電線側ネジ端子の雌ネジ部に螺合する雄ネジ部を有した導電性軸部材と、前記導電性軸部材を前記分岐接地線と導通させる導電性ワッシャ部材と、前記導電性軸部材の外径側に、且つ、該導電性軸部材に対して軸方向に相対移動可能に配置され、軸方向突出位置にある時に前記接地線ネジ端子機構の雄ネジ部を非露出状態とし、軸方向退避位置にある時に前記接地線ネジ端子機構の雄ネジ部の少なくとも一部を露出させるシリンダ部材と、前記シリンダ部材を前記軸方向突出位置に付勢するバネ部材と、を備えたことを特徴とする。
この発明では、導電性軸部材が貫通する導電性ワッシャ部材の開口部を大きくとることができるので、絶縁操作棒の端部に接地線ネジ端子機構を取り付け、該接地線ネジ端子機構の雄ネジ部を電線路ネジ端子の雌ネジ部に螺合させる際、接地線ネジ端子機構のジョイント部及び導電性軸部材が回転しても、前記導電性ワッシャ部材が供回りしにくく、分岐接地線が絶縁操作棒に絡みにくいので作業効率が向上する。
【００３６】
接地短絡器具の第２の発明は、前記第１の発明の特定事項に加え、前記導電性軸部材のジョイント部側にフランジを形成し、該フランジを介して導電性軸部材の雄ネジ部と前記導電性ワッシャ部材とを導通させたことを特徴とする。
この発明では接地線ネジ端子機構の雄ネジ部がフランジを介して導電性ワッシャ部材との導通が確保され、これによりジョイント部に非導電性の材料を用いることができ、絶縁操作棒を用いて作業を行う際により一層感電等の危険を回避することができる。
【００３７】
接地短絡器具の第３の発明は、前記第１の発明の特定事項に加え、前記ジョイント部が導電性の材料から構成したことを特徴とする。
この発明では接地線ネジ端子機構の雄ネジ部がジョイント部を介して導電性ワッシャ部材との導通が確保され、ジョイント部として金属等の剛性の高い材料を使用することができる。
【００３８】
接地短絡用具の仮支持具は、請求項１乃至請求項３に記載された接地短絡器具を構成する前記３個の前記接地線ネジ端子機構の雄ネジ部を螺合させて仮支持する仮支持具であって、ベース部材と、該ベース部材に設けられて一本の前記電線路に対して絶縁操作棒により着脱操作される電線路取付機構と、前記ベース部に設けられて前記接地短絡用具の前記各接地線ネジ端子機構の雄ネジ部を着脱可能に係止する３個のネジ端子係止部と、を備え、前記前記３個のネジ端子係止部は仮支持具の重心点から略等距離に配置され、前記電線路取付機構は前記ベース部材の重量バランスを均衡させる位置に配置されていることを特徴とする。
この発明では電線路ネジ端子に螺合させる接地線ネジ端子機構の雄ネジ部を仮支持具のネジ端子係止部に係止させた状態で、その電線路取付機構を電線路に一時的に取り付けることにより、電線路ネジ端子の近傍に接地線ネジ端子機構を位置させることができ、その接地線ネジ端子機構の雄ネジ部を仮支持具のベース部材のネジ端子係止部から絶縁操作棒などにより外して電線路ネジ端子に螺合させる作業を順次に行うことにより、電線路に接地線を導通接続して接地短絡することができる。またネジ端子係止部は当該仮支持具の重心点から略等距離に配置され、電線路取付機構はベース部材の重量バランスを均衡させる位置に配置されているので、接地線ネジ端子機構の雄ネジ部を仮支持具のネジ端子係止部に係止させた状態で電線路に取り付けた際、仮支持具がバランスよく保持され、作業効率を向上することができる。
接地線ネジ端子機構の雄ネジ部をネジ端子係止部（雌螺子部）に装着する作業は絶縁操作棒を用いた操作によってもよいし、絶縁操作棒以外の工具を用いて行っても良い。ネジ端子係止部は雌螺子である必要は無く、接地線ネジ端子機構を着脱自在に支持できる構造であればどのような構造であってもよい。例えば、着脱自在に接地線ネジ端子機構を保持するクリップであってもよい。
【００３９】
本発明の接地短絡用具の仮支持具は、請求項１乃至３の何れか一項に記載された接地短絡器具を構成する前記３個の前記接地線ネジ端子機構の雄ネジ部を螺合させて仮支持する仮支持具であって、ベース部材と、該ベース部材に設けられて一本の前記電線路に対して絶縁操作棒により着脱操作される電線路取付機構と、前記ベース部に設けられて前記接地短絡用具の前記各接地線ネジ端子機構の雄ネジ部を着脱可能に係止する３個のネジ端子係止部とを備え、前記ベース部材には前記接地線ネジ端子機構と夫々導通した３本の分岐接地線を取り付ける分岐接地線取付手段と、接地金具と導通した接地線を取り付ける接地線取付手段と、前記分岐接地線取付手段と接地線取付手段とを導通させる連結手段とを有していることを特徴とする。
本発明によれば、分岐接地線５５を仮支持具１２０のベース部材１２１に導通固定し、集合接地線５３をベース部材１２１から導出させたので、接地線の機能の一部を仮支持具１２０に一体的に取り込み、作業性を向上することができる。また仮支持具１２０と接地線５０の管理を一括して行うことで、仮支持具１２０と接地線５０とが別の構成である場合に比較し、作業時に持出し忘れを防ぐ等の効果も有する。
【符号の説明】
【００４０】
１…電線路、１０…電線路ネジ端子、１３…雌ネジ部、１５…カバー部材、５０…接地線、５３…集合接地線、５５…分岐接地線、５６…接地線ネジ端子機構、６１…ジョイント部、６２…導電性軸部材、６３…導電性ワッシャ部材、６４…バネ部材、６５…シリンダ部材、６７…差込切込、６８…雄ネジ部、７０…開口部、７１…フランジ、８０…絶縁操作棒、９０、１２０…仮支持具、９１、１２１…ベース部材、９３、１２３…電線路取付機構、９５、１３５…ネジ端子係止部
【図１】
2018019553.tif 000003
【図２】
2018019553.tif 000004
【図３】
2018019553.tif 000005
【図４】
2018019553.tif 000006
【図５】
2018019553.tif 000007
【図６】
2018019553.tif 000008
【図７】
2018019553.tif 000009
【図８】
2018019553.tif 000010
【図９】
2018019553.tif 000011
【図１０】
2018019553.tif 000012
【図１１】
2018019553.tif 000013
【図１２】
2018019553.tif 000014
【図１３】
2018019553.tif 000015
【図１４】
2018019553.tif 000016